(57)【要約】  【課題】  安価に化学物質を長期間放出できる集塵フィルター及びそれを用いた空気清浄機を提供する。  【解決手段】  室内の空気を吸気口１３から取り込んで吹出口２９、３０から送出する送風機２５と、空気中の塵埃を捕集する集塵フィルター５５とを備え、集塵フィルター５５は芳香剤を含浸した多孔質のマイクロカプセル３７を担持するとともに抗ウィルス剤を含浸した濾材５５ａを有するＨＥＰＡフィルターから成り、抗アレルゲン剤を含浸した通気性の抗菌シート３７が表面に設けられる。【選択図】      図３
2006046730.tif 000002
【特許請求の範囲】
【請求項１】
塵埃を捕集する濾材を有した集塵フィルターにおいて、空気中に化学物質を放出して所望の機能を発揮する機能物質を含浸した多孔質のマイクロカプセルを担持したことを特徴とする集塵フィルター。
【請求項２】
前記機能物質は芳香剤、消臭剤、抗菌剤、抗ウィルス剤若しくは抗アレルゲン剤から成ることを特徴とする請求項１に記載の集塵フィルター。
【請求項３】
前記機能物質が芳香剤から成るとともに、前記濾材に抗ウィルス剤を含浸したことを特徴とする請求項１に記載の集塵フィルター。
【請求項４】
前記マイクロカプセルは多孔質ウレタン樹脂から成ることを特徴とする請求項１に記載の集塵フィルター。
【請求項５】
バインダーを溶解した溶媒中に前記マイクロカプセルを分散し、該溶媒中に前記濾材を浸漬して前記マイクロカプセルを担持したことを特徴とする請求項１〜請求項４のいずれかに記載の集塵フィルター。
【請求項６】
請求項１〜請求項５のいずれかに記載の集塵フィルターと、室内から空気を取り込んで前記集塵フィルターを通過して送出する送風機とを備えたことを特徴とする空気清浄機。
【請求項７】
前記機能物質が芳香剤から成るとともに、前記集塵フィルターは前記濾材に抗ウィルス剤を含浸したＨＥＰＡフィルターから成ることを特徴とする請求項６に記載の空気清浄機。
【請求項８】
抗アレルゲン剤を含浸した通気性のシートを前記集塵フィルターに面して設けたことを特徴とする請求項７に記載の空気清浄機。
【発明の詳細な説明】
【技術分野】
【０００１】
本発明は、空気を濾過する集塵フィルター及びそれを用いた空気清浄機に関し、特に芳香剤等の機能物質を有する集塵フィルター及び空気清浄機に関する。
【背景技術】
【０００２】
従来の空気清浄機は特許文献１に開示されている。この空気清浄機はハウジングの前面に吸気口を備え、背面に吹出口を備えている。ハウジング内には送風機が配され、送風機と吸気口との間に塵埃を捕集する集塵フィルターが設けられている。送風機を駆動すると前方から吸気口を介してハウジング内に取り込まれた室内の空気は集塵フィルターにより塵埃が除去され、吹出口から送出される。これにより、塵埃を除去して清浄化された空気が室内を循環する。
【０００３】
また、より快適な居住空間を得るために、抗菌剤や芳香剤等を有する空気清浄機が特許文献２、３に開示されている。この空気清浄機は抗菌剤や芳香剤を封入したマイクロカプセルが集塵フィルターあるいはリボンに担持されている。所定の時期に集塵フィルターまたはリボンを巻き取るとマイクロカプセルが破壊され、抗菌成分や芳香成分等の化学物質が放出される。これにより、抗菌剤や芳香剤を直接集塵フィルター等で担持するよりも抗菌効果や芳香効果を長期間持続できるようになっている。
【特許文献１】特開２００２−１０２３２７号公報（第４頁−第１０頁、第８図）
【特許文献２】特開平１１−２２６３２６号公報（第３頁−第６頁、第１図）
【特許文献３】特開平１−２９９５５７号公報（第５頁−第７頁、第１図）
【発明の開示】
【発明が解決しようとする課題】
【０００４】
しかしながら、抗菌剤や芳香剤を有する上記従来の空気清浄機によると、マイクロカプセルを破壊する手段を必要とし、空気清浄機が大型になるとともに高価になる問題があった。
【０００５】
本発明は、安価に化学物質を長期間放出できる集塵フィルター及びそれを用いた空気清浄機を提供することを目的とする。
【課題を解決するための手段】
【０００６】
上記目的を達成するために本発明は、塵埃を捕集する濾材を有した集塵フィルターにおいて、空気中に化学物質を放出して所望の機能を発揮する機能物質を含浸した多孔質のマイクロカプセルを担持したことを特徴としている。この構成によると、集塵フィルターを空気が通過することにより空気中の塵埃が捕集される。また、多孔質のマイクロカプセルに含浸される機能物質から化学物質が徐々に放出される。
【０００７】
機能物質は芳香剤、消臭剤、抗菌剤、抗ウィルス剤若しくは抗アレルゲン剤等から成っている。芳香剤や消臭剤から放出される化学物質は空気とともに流通して芳香や消臭を行う。抗菌剤から放出される化学物質は集塵フィルター表面に滞留して細菌の繁殖を防止する。抗ウィルス剤や抗アレルゲン剤から放出される化学物質は集塵フィルターを通過する空気中のウィルスやアレルゲンを不活化する。
【０００８】
また本発明は、上記構成の集塵フィルターにおいて、前記機能物質が芳香剤から成るとともに、前記濾材に抗ウィルス剤を含浸したことを特徴としている。この構成によると、集塵フィルターを通過する空気は不織布や紙等から成る濾材に含浸される抗ウィルス剤によりウィルスが不活化される。また、マイクロカプセルに含浸される芳香剤から放出された芳香成分が空気中に含まれる。
【０００９】
また本発明は、上記構成の集塵フィルターにおいて、前記マイクロカプセルは多孔質ウレタン樹脂から成ることを特徴としている。
【００１０】
また本発明は、上記構成の集塵フィルターにおいて、バインダーを溶解した溶媒中に前記マイクロカプセルを分散し、該溶媒中に前記濾材を浸漬して前記マイクロカプセルを担持したことを特徴としている。この構成によると、機能物質を含浸したマイクロカプセルがアクリル樹脂等が溶解した溶媒中に分散され、該溶媒中に濾材が浸漬される。これにより、樹脂がバインダーとなって濾材にマイクロカプセルが担持される。
【００１１】
また本発明の空気清浄機は、上記各構成の集塵フィルターと、室内から空気を取り込んで前記集塵フィルターを通過して送出する送風機とを備えたことを特徴としている。この構成によると、送風機を駆動すると室内の空気が取り込まれて集塵フィルターを通過する。これにより、空気中の塵埃が捕集される。また、多孔質のマイクロカプセルに含浸される機能物質から化学物質が徐々に放出される。該化学物質は空気とともに流通や集塵フィルター表面に滞留して機能を発揮する。
【００１２】
また本発明は、上記構成の空気清浄機において、前記機能物質が芳香剤から成るとともに、前記集塵フィルターは前記濾材に抗ウィルス剤を含浸したＨＥＰＡフィルターから成ることを特徴としている。
【００１３】
また本発明は、上記構成の空気清浄機において、抗アレルゲン剤を含浸した通気性のシートを前記集塵フィルターに面して設けたことを特徴としている。この構成によると、シートを通過する空気は抗アレルゲン剤によりアレルゲンが不活化される。
【発明の効果】
【００１４】
本発明の集塵フィルターによると、芳香剤、消臭剤、抗菌剤、抗ウィルス剤若しくは抗アレルゲン剤等から成る機能物質を含浸した多孔質のマイクロカプセルを担持したので、化学物質を徐々に放出して長期間機能を維持することができる。また、集塵フィルターを搭載する機器がマイクロカプセルを破壊する手段を必要とせず安価に得られる。
【００１５】
また本発明によると、機能物質が芳香剤から成るとともに、濾材に抗ウィルス剤を含浸したので、複数の機能を有する集塵フィルターを安価に得ることができる。
【００１６】
また本発明によると、マイクロカプセルは多孔質ウレタン樹脂から成るので、化学物質を徐々に放出する集塵フィルターを容易に実現することができる。
【００１７】
また本発明によると、バインダーを溶解するとともにマイクロカプセルを分散した溶媒中に濾材を浸漬してマイクロカプセルを担持したので、マイクロカプセルを担持した集塵フィルターを容易に得ることができる。
【００１８】
また本発明の空気清浄機によると、芳香剤、消臭剤、抗菌剤、抗ウィルス剤若しくは抗アレルゲン剤等から成る機能物質を含浸した多孔質のマイクロカプセルを担持したので、化学物質を徐々に放出して長期間効果を維持することができる。また、マイクロカプセルを破壊する手段を必要とせず、長期間効果を維持できる空気清浄機を安価に得ることができる。
【００１９】
また本発明によると、集塵フィルターは機能物質が芳香剤から成るとともに、濾材に抗ウィルス剤を含浸したＨＥＰＡフィルターから成るので、集塵効果が高く、芳香効果及びウィルスの不活化効果を有する空気清浄機を安価に得ることができる。
【００２０】
また本発明によると、抗アレルゲン剤を含浸した通気性のシートを集塵フィルターに面して設けたので、更にアレルゲンを不活化する効果を有する空気清浄機を得ることができる。
【発明を実施するための最良の形態】
【００２１】
以下に本発明の実施形態を図面を参照して説明する。図１は一実施形態の空気清浄機を示す斜視図である。空気清浄機１はベース１１の支持により本体部１０が立設されている。本体部１０の前面は前面パネル１２により覆われている。前面パネル１２には室内の空気を取り込む吸気口１３が設けられるとともに、本体部１０と前面パネル１２との隙間により側面吸気口１４が形成されている。本体部１０の上部にはユーザ操作を行う操作パネル１５が設けられる。
【００２２】
図２は空気清浄機１の前面パネル１２を取り外した状態を示す側面断面図である。本体部１０内には軸方向に吸気して周方向に排気する送風機２５が設けられる。送風機２５は吸気側が吸気口１３に面して配され、通気口２７を有する通気パネル２８により前面が覆われる。通気パネル２８によって本体部１０の後部には上下に延びる通風路３１が形成される。通風路３１は上方に向けて開口する吹出口２９が設けられるとともに、斜め上方に屈曲して前方に開口する吹出口３０が設けられる。これにより、送風機２５の排気が吹出口２９、３０に導かれる。
【００２３】
送風機２５と吹出口２９との間にはイオン発生装置２６が設けられている。イオン発生装置２６は高圧電圧の印加によりイオンを発生する電極(不図示)を有し、電極が通風路３１に面して配されている。イオン発生装置２６を吹出口２９と送風機２５との間に配置することにより送風機２５との衝突によるイオンの消滅を防止することができる。また、イオンを発生する電極を通風路３１に配置してイオン発生装置２６の電源部等を別の位置に配置してもよい。
【００２４】
イオン発生装置２６の電極には交流波形またはインパルス波形から成る電圧が印加される。電極の印加電圧が正電圧の場合は主としてＨ+（Ｈ2Ｏ）nから成るプラスイオンを発生し、負電圧の場合は主としてＯ2-（Ｈ2Ｏ）mから成るマイナスイオンを発生する。ここで、ｎ、ｍは整数である。Ｈ+（Ｈ2Ｏ）n及びＯ2-（Ｈ2Ｏ）mは空気中の浮遊菌や臭い成分の表面で凝集してこれらを取り囲む。
【００２５】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｎ’、ｍ’は整数である。従って、プラスイオン及びマイナスイオンを発生して吹出口２９、３０から送出することにより室内の殺菌及び臭い除去を行うことができる。
【００２６】
Ｈ+（Ｈ2Ｏ）n＋Ｏ2-（Ｈ2Ｏ）m→・ＯＨ＋1/2Ｏ2＋（ｎ＋ｍ）Ｈ2Ｏ  ・・・（１）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →2・ＯＨ＋Ｏ2＋（ｎ＋ｎ’＋ｍ＋ｍ’）Ｈ2Ｏ  ・・・（２）
Ｈ+（Ｈ2Ｏ）n＋Ｈ+（Ｈ2Ｏ）n'＋Ｏ2-（Ｈ2Ｏ）m＋Ｏ2-（Ｈ2Ｏ）m'                                  →Ｈ2Ｏ2＋Ｏ2＋（ｎ＋ｎ’＋ｍ＋ｍ’）Ｈ2Ｏ  ・・・（３）
【００２７】
前面パネル１２と通気パネル２８との間には空気清浄用フィルターユニット２０及び加湿部２１が配される。吸気口１３(図１参照)に面して配される空気清浄用フィルターユニット２０は、空気清浄機に組み込むものとして設計されている。図３は空気清浄用フィルターユニット２０の分解斜視図を示している。
【００２８】
空気清浄用フィルターユニット２０は枠体５６内に空気の吸込み側から順にプレフィルター５２、脱臭フィルター５４、集塵フィルター５５の３種類のフィルターが配設されている。プレフィルター５２と脱臭フィルター５４との間にはフィルター押え５３が配されている。
【００２９】
図４はプレフィルター５２を示す斜視図である。プレフィルター５２はＡＢＳ等の合成樹脂で形成された４段４列の窓を有する矩形の枠６１にポリプロピレン製のメッシュ６２を溶着して形成されている。枠６１の両側面には２個づつの突起部６３が設けられ、正面につまみ６４が突設されている。プレフィルター５２によって吸気中の大きな塵埃を捕集することができる。
【００３０】
図５、図６は脱臭フィルター５４の斜視図及び側面図を示している。脱臭フィルター５４はポリプロピレン繊維やポリエステル繊維から成る矩形の袋体４１を有している。袋体４１は上下方向に連続した大きさが均等な複数の収納室４２に区分けされている。各収納室４２内には活性炭等の吸着材１８（図１３参照）が均一に分散して詰められている。これにより、各収納室４２が膨らんで脱臭フィルター５４は表面に凹凸が形成される。尚、収納室４２の数は特に限定されない。吸着材１８として、やしがら系、石炭ピッチ系、ポリアクリロニトリル系、セルロース系等の活性炭等を用いることができる。
【００３１】
図７は脱臭フィルター５４の側面断面図を示している。各収納室４２は袋体４１の表面側と裏面側とを縫い合わせて形成される。この時、縫い目６７が傾斜するように縫い合わされる。脱臭フィルター５４の装着状態では各収納室４２に詰められた吸着材６８が自重で下降し、各収納室４２の上部に空間部４２ａが形成される。この時、縫い目６７が傾斜しているため各収納室４２の上方の収納室４２の下部に吸着材１８が詰められる。
【００３２】
これにより、脱臭フィルター５４に入った空気は、矢印αで示すように、必ず吸着材１８と接触しながら通過して放出され、脱臭効果が向上する。また、袋体４１を一列配置するだけでよく、脱臭フィルター５４の薄型化を図ることができる。
【００３３】
図８、図９は集塵フィルター５５の斜視図及び分解斜視図を示している。集塵フィルター５５はＨＥＰＡフィルターから成り、濾材５５ａを覆うように枠材５５ｂがホットメルトにより溶着されている。濾材５５ａはポリエステル／ビニロン系の不織布から成る骨材とメルトブロー不織布とを重ね合わせ、折り畳んで構成される。メルトブロー不織布として電石加工された東レ株式会社製トレミクロン(登録商標)が用いられる。これにより、静電気を保持して細かな塵埃も捕集することができる。
【００３４】
濾材５５ａを構成するポリエステル／ビニロン系の不織布には、ジンクピソジオンやカテキン等から成る抗ウィルス剤が含浸されている。抗ウィルス剤によって集塵フィルター５５を通過する空気中のウィルスを不活化することができる。
【００３５】
また、図１０に示すように、ポリエステル／ビニロン系の不織布には芳香剤を含浸したマイクロカプセル３７が担持されている。マイクロカプセル３７は多孔質ウレタン樹脂から成り、芳香剤を多数の細孔で保持することによって芳香剤の化学物質を徐々に放出することができる。
【００３６】
ポリエステル／ビニロン系の不織布から成る濾材５５ａは以下のように形成されている。まず、抗ウィルス剤及びアクリル樹脂を溶解した溶媒中に芳香剤を含浸したマイクロカプセル３７を分散する。そして、該溶媒中にポリエステル／ビニロン系の不織布を浸漬する。これにより、濾材５５ａは抗ウィルス剤を含浸するとともに、図１１に示すように、アクリル樹脂が通気性のバインダー３８となってマイクロカプセル３７を担持することができる。
【００３７】
尚、溶媒中のアクリル樹脂の濃度に応じてバインダー３８の厚みを可変することができる。これにより、バインダー３８を厚くして芳香剤による芳香効果の持続時間を長くすることや、バインダー３８を薄くして芳香効果を大きくすることができる。
【００３８】
また、濾材５５ａの表面にはハイドロキシアパタイト加工した不織布から成る抗菌シート５７が重ねて熱圧着されている。抗菌シート５７はハイドロキシアパタイト等の抗アレルゲン剤を溶解した溶媒中に不織布を浸漬して形成され、抗アレルゲン剤が含浸されている。抗アレルゲン剤によって抗菌シート５７を通過する空気中のアレルゲンを不活化することができる。また、枠材５５ｂにも抗菌シート５７と同様にハイドロキシアパタイト等の抗アレルゲン剤が含浸されている。
【００３９】
上記構成の集塵フィルター５５によって、吸気口１３から取り込まれた空気中の微細な塵埃を捕集するとともにウィルス及びアレルゲンを不活化する。また、集塵フィルター５５を通過する空気に芳香剤から化学物質が放出される。
【００４０】
図１２はフィルター押さえ枠５３を脱臭フィルター５４の側から見た斜視図である。フィルター押さえ枠５３は矩形の枠６４に空気の流入が可能な複数段複数列の角孔６５を有している。角孔６５の高さは脱臭フィルター５４の表面の凹凸に合わせて設定されている。
【００４１】
また、風下側の脱臭フィルター５４に対向する面には、各角孔６５の間に桟状の突起部６６が設けられている。突起部６６は横幅がフィルター押さえ枠５３の横幅と同じであり、脱臭フィルター５４に向かって水平方向に突出している。突起部６６により脱臭フィルター５４を押さえて位置ずれを防止するようになっている。尚、突起部６６は必ずしも桟状である必要はなく、ピン等の突起であってもよい。
【００４２】
図１３は枠体６１の斜視図を示している。枠体６１は、風上側の面が開放された箱体７１から成り、風下側の面には格子枠７３により空気の流入が可能な角孔７２が形成されている。格子枠７３は集塵フィルター５５の脱落を防止するためのものである。枠体６１の厚さは集塵フィルター５５、脱臭フィルター５４、フィルター押さえ枠５３及びプレフィルター５２が収納可能な厚さになっている。箱体７１の両側面には両側面には２個づつの係止穴７４が設けられる。図１４に示すように、プレフィルター５２の突起部６３が係止孔７４に嵌合して、内部の脱臭フィルター５４等が脱落することなく、空気清浄用フィルターユニット２０が一体に形成される。
【００４３】
図２において、空気清浄用フィルターユニット２０と通気パネル２８との間には所定幅の空間部３２が形成されている。空間部３２を設けることにより空気清浄用フィルターユニット２０を通過した空気が通気口２７にスムーズに流入し、圧力損失及び騒音を低減できるようになっている。
【００４４】
空間部３２の下部に配置される加湿部２１は加湿フィルター２２、トレイ２３及び水タンク２４(図１参照)により構成されている。水タンク２４は加湿用の水が貯水され、本体部１０の側部に着脱可能に立設されている。トレイ２３は水タンク２４に接続され、タンクから供給される水をためる。加湿フィルター２２はトレイ２３に浸漬される吸水性を有した吸水材から成り、前後方向にジグザグに折曲した屏風状に形成されている。これにより、加湿フィルター２２はトレイ２３内の水を吸い上げて保水する。
【００４５】
上記構成の空気調和機１において、送風機２５が駆動されると吸気口１３から本体部１０内に室内の空気が取り込まれる。吸気口１３から取り込まれた空気は矢印Ａ（図２参照）に示すように空気清浄用フィルターユニット２０を通過して塵埃が捕集され、ウィルスやアレルゲンが不活化される。空気清浄用フィルターユニット２０を通過した空気には芳香成分が含まれ、通気口２７を介して通風路３１に流入する。
【００４６】
また、空気清浄用フィルターユニット２０を通過した下方の空気は加湿フィルター２２に衝突し、背面側が遮蔽されるため吸水材の折曲された壁面に沿って矢印Ｂ（図２参照）に示すように上昇する。この時、加湿フィルター２２に保水された水分が空気内に取り込まれ、加湿された空気が通気口２７を介して通風路３１に流入する。通風路３１を流通する空気はイオン発生装置２６から放出されるプラスイオン及びマイナスイオンを含み、吹出口２９、３０から室内に送出される。これにより、室内の殺菌及び臭い除去を行うことができる。
【００４７】
また、操作パネル１５(図１参照)の操作によってプラスイオン及びマイナスイオンを室内に送出するモードと、マイナスイオンのみを室内に送出するモードとを切り替えることができるようになっている。これにより、モードを切り替えてマイナスイオンを室内に送出してリラクゼーション効果を得ることができる。
【００４８】
室内に送出されるイオンは水分子により周囲が取り囲まれる。このため、空気中のカビ菌やウィルス等の浮遊菌とイオンとが衝突する度合が高くなる。また、空気中の塵埃にイオンが衝突した際に、イオンは水分子に保護され消滅が低減される。従って、室内の浮遊菌を迅速に除去することができる。また、マイナスイオンのみを室内に送出する際も同様にイオンが水分に取り囲まれ、塵埃との衝突によるイオンの消滅が低減される。従って、リラクゼーション効果を効率よく迅速に得ることができる。
【００４９】
本実施形態によると、芳香剤を含浸した多孔質のウレタン樹脂から成るマイクロカプセル３７を集塵フィルター５５が担持するので、芳香剤から放出される化学物質が徐々に放出される。これにより、芳香効果を長期間持続することができる。また、従来のようにマイクロカプセルを破壊する手段を必要としないため空気清浄機１のコストダウンを図ることができる。尚、マイクロカプセルは多孔質であれば他の材料でもよく、例えば、アルミナ等のセラミックを用いることができる。
【００５０】
また、芳香剤だけでなく、化学物質を放出することにより種々の機能を発揮する機能物質をマイクロカプセル３７に含浸してもよい。例えば、芳香剤以外の機能物質として消臭剤、抗菌剤、抗ウィルス剤、抗アレルゲン剤等を含浸することができる。マイクロカプセル３７に消臭剤を含浸すると、消臭剤から放出される化学物質が空気とともに流通し、室内の消臭を行うことができる。
【００５１】
マイクロカプセル３７に抗菌剤を含浸すると、抗菌剤から放出される化学物質が送風機２５の停止時に空気清浄用フィルターユニット２０の表面に滞留して細菌の繁殖を防止することができる。マイクロカプセル３７に抗ウィルス剤や抗アレルゲン剤を含浸すると、抗ウィルス剤や抗アレルゲン剤から放出される化学物質によって空気清浄用フィルターユニット２０を通過する空気中のウィルスやアレルゲンを不活化することができる。
【産業上の利用可能性】
【００５２】
本発明は、塵埃を捕集する集塵フィルターやそれを用いた空気清浄機、空気調和機に利用することができる。
【図面の簡単な説明】
【００５３】
【図１】本発明の実施形態の空気清浄機を示す斜視図
【図２】本発明の実施形態の空気清浄機を示す側面断面図
【図３】本発明の実施形態の空気清浄機の空気清浄用フィルターユニットを示す分解斜視図
【図４】本発明の実施形態の空気清浄機のプレフィルターを示す斜視図
【図５】本発明の実施形態の空気清浄機の脱臭フィルターを示す斜視図
【図６】本発明の実施形態の空気清浄機の脱臭フィルターを示す側面図
【図７】本発明の実施形態の空気清浄機の脱臭フィルターを示す側面断面図
【図８】本発明の実施形態の空気清浄機の集塵フィルターを示す斜視図
【図９】本発明の実施形態の空気清浄機の集塵フィルターを示す分解斜視図
【図１０】本発明の実施形態の空気清浄機の集塵フィルターのマイクロカプセルの担持状態を示す図
【図１１】本発明の実施形態の空気清浄機の集塵フィルターのマイクロカプセルの担持状態を示す図
【図１２】本発明の実施形態の空気清浄機のフィルター押え枠を示す斜視図
【図１３】本発明の実施形態の空気清浄機の空気清浄用フィルターユニットの枠体を示す斜視図
【図１４】本発明の実施形態の空気清浄機の空気清浄用フィルターユニットの枠体とプレイフィルターの結合状態を示す斜視図
【符号の説明】
【００５４】
１    空気清浄機
１０    本体部
１２    前面パネル
１３    吸気口
１４    側面吸気口
１５    操作パネル
２０    空気清浄用フィルターユニット
２１    加湿部
２２    加湿フィルター
２３    トレイ
２５    送風機
２６    イオン発生装置
２７    通気口
２８    通気パネル
２９、３０  吹出口
３１    通気路
３２    空間部
３６    シート
３７    マイクロカプセル
３８    バインダー
５２    プレフィルター
５３    フィルター押え枠
５４    脱臭フィルター
５５    集塵フィルター
５５ａ  濾材
【図１】
2006046730.tif 000003
【図２】
2006046730.tif 000004
【図３】
2006046730.tif 000005
【図４】
2006046730.tif 000006
【図５】
2006046730.tif 000007
【図６】
2006046730.tif 000008
【図７】
2006046730.tif 000009
【図８】
2006046730.tif 000010
【図９】
2006046730.tif 000011
【図１０】
2006046730.tif 000012
【図１１】
2006046730.tif 000013
【図１２】
2006046730.tif 000014
【図１３】
2006046730.tif 000015
【図１４】
2006046730.tif 000016
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
室内からの空気を取り込んで、塵埃を捕集するプレフィルター、脱臭する脱臭フィルター、塵埃を捕集する濾材を有した集塵フィルターからなるフィルターユニットと、イオンを発生するイオン発生部と、空気に水分を送る加湿部と、室内から空気を取り込んで送出する送風機とを備えた空気清浄機において、
前記濾材に抗ウィルス剤を含浸し、前記濾材の表面に空気中に化学物質を放出して所望の機能を発揮する機能物質を含浸した多孔質のマイクロカプセルを担持したことを特徴とする空気清浄機。
【請求項２】
バインダーを溶解した溶媒中に前記マイクロカプセルを分散し、該溶媒中に前記濾材を浸漬して前記マイクロカプセルを担持し、前記バインダーの濃度を可変することを特徴とする請求項１に記載の空気清浄機。
【手続補正２】
【補正対象書類名】明細書
【補正対象項目名】０００６
【補正方法】変更
【補正の内容】
【０００６】
上記目的を達成するために本発明は、室内からの空気を取り込んで、塵埃を捕集するプレフィルター、脱臭する脱臭フィルター、塵埃を捕集する濾材を有した集塵フィルターからなるフィルターユニットと、イオンを発生するイオン発生部と、空気に水分を送る加湿部と、室内から空気を取り込んで送出する送風機とを備えた空気清浄機において、前記濾材に抗ウィルス剤を含浸し、前記濾材の表面に空気中に化学物質を放出して所望の機能を発揮する機能物質を含浸した多孔質のマイクロカプセルを担持したことを特徴としている。この構成によると、フィルターユニットを空気が通過することにより空気中の塵埃が捕集され、脱臭される。また、多孔質のマイクロカプセルに含浸される機能物質から化学物質が徐々に放出される。更に、集塵フィルターを通過する空気は不織布や紙等から成る濾材に含浸される抗ウィルス剤によりウィルスが不活化される。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また本発明は、上記構成の空気清浄機において、バインダーを溶解した溶媒中に前記マイクロカプセルを分散し、該溶媒中に前記濾材を浸漬して前記マイクロカプセルを担持し、前記バインダーの濃度を可変することを特徴としている。この構成によると、機能物質を含浸したマイクロカプセルがアクリル樹脂等が溶解した溶媒中に分散され、該溶媒中に濾材が浸漬される。これにより、樹脂がバインダーとなって濾材にマイクロカプセルが担持される。そして、バインダーの濃度に応じてバインダーの厚みが可変する。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】